(57)【要約】【課題】ワンセグ視聴によるテレビ放送の個別視聴を前提として、友人や家族の視聴を誘導し、番組の視聴率を高めるデジタル放送システム及びデジタル放送視聴誘導方法を提供すること。【解決手段】放送局サーバ３００のサービス管理部３０４は、友達テーブルを参照して、ログインユーザの友達の中からログイン中の友達を確認して、ログイン中友達リストテーブルを生成する。次いで、サービス管理部３０４は、当該ユーザがログイン中であることを確認した場合は、ログイン中友達リストテーブル内の該当ユーザのポイント既付与フラグを参照して、すなわち、ポイント既付与フラグが「１：付与済み」か「０：未付与」かを確認し、「０：未付与」の場合に、番組管理ＤＢを参照して、視聴中の番組における本人視聴ポイントを該当ユーザに付与する等の、ポイント付与制御を実行する【選択図】図３
2008054087.tif 000002
【特許請求の範囲】
【請求項１】
番組コンテンツをデジタル放送として送信するデジタル放送送出装置と、番組コンテンツをネットワークを介して送信する放送局サーバと、前記デジタル放送送出装置と前記放送局サーバからそれぞれ番組コンテンツを受信して再生する端末装置と、からなるデジタル放送システムにおいて、
前記放送局サーバは、
第１のユーザが、所定の番組コンテンツを視聴登録する視聴登録手段と、
前記番組コンテンツの視聴を招待する電子メールを第２のユーザに送信する招待手段と、
前記電子メールを受信した第２のユーザが、前記視聴登録手段に自身のユーザＩＤを登録するユーザ登録手段と、
前記デジタル放送送出装置から前記番組コンテンツの送信時間中に、前記視聴登録手段を参照して、前記電子メールで招待された第２のユーザが当該番組コンテンツを視聴しているか否かを判定する視聴判定手段と、
前記番組コンテンツを視聴している第２のユーザの人数分だけユーザデータベースに登録された前記第１のユーザに対してポイントを付与するポイント付与手段と、を備えたことを特徴とするデジタル放送システム。
【請求項２】
前記ポイント付与手段は、招待された前記第２のユーザが前記視聴判定手段により前記番組コンテンツを視聴していると判定された場合は、前記ユーザデータベースに登録された第２のユーザに対してもポイントを付与することを特徴とする請求項１に記載のデジタル放送システム。
【請求項３】
少なくとも番組コンテンツ毎に予め視聴登録しているユーザと、電子メール等で招待された複数のユーザ同士を関係付ける友達テーブルを備え、
前記視聴判定手段は、番組コンテンツの送信時に、前記友達テーブルを参照して、該友達テーブルに登録されたユーザが当該番組コンテンツを視聴しているか否かを判定し、
前記ポイント付与手段は、前記視聴判定手段により前記友達テーブルに登録されたユーザが前記番組コンテンツを視聴していると判定された場合に、該視聴中のユーザに対して、前記ユーザデータベース上でポイントを付与することを特徴とする請求項１または２に記載のデジタル放送システム。
【請求項４】
番組コンテンツをデジタル放送として送信するデジタル放送送出装置と、番組コンテンツをネットワークを介して送信する放送局サーバと、前記デジタル放送送出装置と前記放送局サーバからそれぞれ番組コンテンツを受信して再生する端末装置と、からなるデジタル放送システムにおけるデジタル放送視聴誘導方法であって、
第１のユーザが、所定の番組コンテンツを視聴登録手段に視聴登録するステップと、
前記番組コンテンツの視聴を招待する電子メールを第２のユーザに送信するステップと、
前記電子メールを受信した第２のユーザが、前記視聴登録手段に自身のユーザＩＤを登録するステップと、
前記デジタル放送送出装置から前記番組コンテンツの送信時間中に、前記視聴登録手段を参照して、前記電子メールで招待された第２のユーザが当該番組コンテンツを視聴しているか否かを判定するステップと、
前記番組コンテンツを視聴している第２のユーザの人数分だけユーザデータベースに登録された前記第１のユーザに対してポイントを付与するステップと、からなることを特徴とするデジタル放送視聴誘導方法。
【発明の詳細な説明】
【技術分野】
【０００１】
本発明は、地上波デジタル放送またはワンセグ放送における視聴誘導技術に関する。
【背景技術】
【０００２】
地上波デジタル放送では、６ＭＨｚの放送波を１３個の帯域に分割し、各帯域毎に搬送波の変調方式や畳み込み符号の符号化率を選択できるようにしている。そして分割した各帯域をセグメントと呼んでいる。この１セグメント分の帯域を使用した携帯端末向けのデジタル放送がいわゆる「ワンセグ放送」として実現されている。
【０００３】
ワンセグ放送対応の受信端末としては、モバイル型のパーソナルコンピュータ、カーナビゲーションシステム、携帯電話端末等が開発されており、ノイズの少ないテレビ放送の受信が可能となっている。
【０００４】
また、携帯端末向けのデジタル放送を対象とした視聴率調査方法が特許文献１により提案されている。この視聴率調査方法では、携帯端末から送信される番組視聴データをサーバ装置で受信し、サーバ装置は受信した番組視聴データに含まれるアンテナ識別情報を住所情報または位置情報に変換して蓄積記録するようにしている。
【特許文献１】特開２００４‐２７４３９４号公報
【発明の開示】
【発明が解決しようとする課題】
【０００５】
しかしながら、上記従来の視聴率調査方法では、携帯端末から送信される番組視聴データを蓄積記録するだけであるため、携帯端末において視聴される番組の視聴率を知ることはできるが、携帯端末ユーザの視聴率を確保するためのサービスを提供することはできない。
【０００６】
そこで、本発明は、このような点に鑑みてなされたものであり、ワンセグ視聴によるテレビ放送の個別視聴を前提として、友人や家族の視聴を誘導し、番組の視聴率を高めるデジタル放送システム及びデジタル放送視聴誘導方法を提供することを目的とする。
【課題を解決するための手段】
【０００７】
本発明のデジタル放送システムは、番組コンテンツをデジタル放送として送信するデジタル放送送出装置と、番組コンテンツをネットワークを介して送信する放送局サーバと、前記デジタル放送送出装置と前記放送局サーバからそれぞれ番組コンテンツを受信して再生する端末装置と、からなるデジタル放送システムにおいて、前記放送局サーバは、第１のユーザが、所定の番組コンテンツを視聴登録する視聴登録手段と、前記番組コンテンツの視聴を招待する電子メールを第２のユーザに送信する招待手段と、前記電子メールを受信した第２のユーザが、前記視聴登録手段に自身のユーザＩＤを登録するユーザ登録手段と、前記デジタル放送送出装置から前記番組コンテンツの送信時間中に、前記視聴登録手段を参照して、前記電子メールで招待された第２のユーザが当該番組コンテンツを視聴しているか否かを判定する視聴判定手段と、前記番組コンテンツを視聴している第２のユーザの人数分だけユーザデータベースに登録された前記第１のユーザに対してポイントを付与するポイント付与手段と、を備えたことを特徴とする。
【０００８】
本発明のデジタル放送視聴誘導方法は、番組コンテンツをデジタル放送として送信するデジタル放送送出装置と、番組コンテンツをネットワークを介して送信する放送局サーバと、前記デジタル放送送出装置と前記放送局サーバからそれぞれ番組コンテンツを受信して再生する端末装置と、からなるデジタル放送システムにおけるデジタル放送視聴誘導方法であって、第１のユーザが、所定の番組コンテンツを視聴登録手段に視聴登録するステップと、前記番組コンテンツの視聴を招待する電子メールを第２のユーザに送信するステップと、前記電子メールを受信した第２のユーザが、前記視聴登録手段に自身のユーザＩＤを登録するステップと、前記デジタル放送送出装置から前記番組コンテンツの送信時間中に、前記視聴登録手段を参照して、前記電子メールで招待された第２のユーザが当該番組コンテンツを視聴しているか否かを判定するステップと、前記番組コンテンツを視聴している第２のユーザの人数分だけユーザデータベースに登録された前記第１のユーザに対してポイントを付与するステップと、からなることを特徴とする。
【０００９】
これらの発明によれば、番組コンテンツを視聴登録する手段として、例えば、番組ＩＤ毎に視聴テーブルを設け、視聴登録をした第１のユーザが第２のユーザを招待し、この第２のユーザが視聴テーブルに視聴登録しておくことにより、番組コンテンツ配信時(放送時)に、視聴テーブルを参照して第１のユーザが招待した第２のユーザが番組コンテンツを視聴しているか否かを判定し、第２のユーザが視聴している場合は、第１のユーザに対してインセンティブとしてポイントを付与する。これにより、友人や家族の番組視聴を誘導することができ、番組の視聴率を高めることができる。
【発明の効果】
【００１０】
本発明によれば、特定の番組ＩＤが付与された番組コンテンツに対して、他のユーザの視聴を誘導することができ、番組の視聴率を高めることができる。
【発明を実施するための最良の形態】
【００１１】
以下、本発明の実施の形態について図面を参照して説明する。
【００１２】
図１は、本発明を適用した一実施の形態のデジタル放送システムのシステム構成を示す図である。図１において、デジタル放送システム１０は、テレビ局１００と、デジタル放送受信端末２００と、放送局サーバ３００（第１のサーバ処理手段と第２のサーバ処理手段とを兼用）と、別ユーザデジタル放送受信端末４００と、から構成され、デジタル放送受信端末２００と、放送局サーバ３００と、複数の別ユーザデジタル放送受信端末４００と、はインターネットＮを介して接続される。
【００１３】
テレビ局１００は、各種番組等の番組データと、番組に連動するまたは独自のデータ放送を提供するＢＭＬデータを含む放送用データをテレビ放送電波に変調して放送する。デジタル放送受信端末２００は、テレビ局１００から放送されるテレビ放送電波を受信し、そのテレビ放送電波を復調して番組データを再生するとともに、ＢＭＬデータに基づくデータ放送を表示する。また、デジタル放送受信端末２００は、インターネットＮを介して放送局サーバ３００との間で放送用コンテンツの視聴サービスに関する情報を送受信する。放送局サーバ３００は、インターネットＮを介してデジタル放送受信端末２００との間で視聴登録処理、友達登録処理等を実行し、インターネットＮを介して他デジタル放送受信端末４００との間で視聴登録処理等を実行する。
【００１４】
図２は、デジタル放送受信端末２００の構成を示すブロック図である。ここで説明するデジタル放送受信端末２００としては、いわゆるワンセグ携帯電話端末をはじめ、デジタルチューナを搭載・接続したパーソナルコンピュータ、ＰＤＡ(Personal Data Assistant)等、いわゆる地上波デジタル放送を受信・表示でき、かつインターネットへのアクセスが可能でブラウザプログラムを搭載した装置であればいかなるものであってもよい。
図２において、デジタル放送受信端末２００は、制御部２０１と、入力部２０２と、表示部２０３と、ＷＥＢブラウザ部２０４と、Ｅメール部２０５と、通信部２０６と、デジタル放送受信部２０７と、デジタル放送制御部２０８と、ＢＭＬブラウザ部２０９と、記憶部２１０と、を備え、各部はバス２１１を介して接続されている。
【００１５】
制御部２０１は、記憶部２１０に記憶された各種プログラムを読み出して実行処理することによって、デジタル放送受信端末２００内部の各部を制御する。
【００１６】
入力部２０２は、テンキー及び各種ファンクションキー等を備え（ワンセグ携帯電話端末の場合には数字キー、パーソナルコンピュータやＰＤＡの場合にはキーボードやテンキー等がこれに該当する）、ユーザによるキー操作に応じたキー入力信号を制御部２０１に出力する。
【００１７】
表示部２０３は、液晶表示パネル等により構成され、制御部２０１から出力される表示制御信号に基づいて、デジタル放送制御部２０８から出力されたデジタル放送番組やＢＭＬデータ放送等のコンテンツを表示する。
【００１８】
ＷＥＢブラウザ部２０４は、データ放送に関連するＷＥＢサーバへのアクセス制御やＷＥＢ画面の表示制御、視聴登録処理に関わるメール画面表示制御やメール送信制御、友達登録処理に関わるＷＥＢアクセス制御や友達登録画面表示制御等を実行する。
【００１９】
Ｅメール部２０５は、Ｅメール作成処理を実行するとともに、Ｅメールの送受信処理、視聴登録処理に関わるメール送信処理等を通信部２０６を制御して実行する。
【００２０】
通信部２０６は、インターネットＮと接続し、インターネットＮを介して放送局サーバ３００との間で通信を実行する通信機能を有する。
【００２１】
デジタル放送受信部２０７は、テレビ局１００から放送されるテレビ放送電波を受信して番組データとＢＭＬデータを復調し、復調した番組データをデジタル放送制御部２０８に出力するとともに、ＢＭＬデータをＢＭＬブラウザ部２０９に出力する。
【００２２】
デジタル放送制御部２０８は、映像・音声再生部２０８ａとＮＶＲＡＭ２０８ｂを備える。映像・音声再生部２０８ａは、デジタル放送受信部２０７から入力される番組データの映像と音声を再生する。ＮＶＲＡＭ（Non Volatile RAM）２０８ｂは、不揮発性の半導体メモリであり、放送局サーバ３００から受信する視聴ＩＤ（ＮＶＲＡＭ用ＩＤ）等を記憶する。
【００２３】
ＢＭＬブラウザ部２０９は、通信部２０６によりインターネットＮを介して放送局サーバ３００から受信するＢＭＬデータに基づいて、データ放送の表示制御、視聴登録処理に関わる登録画面表示制御や視聴登録情報送受信制御、友達登録処理に関わる友達登録画面表示制御や友達登録情報送受信制御等を実行する。
【００２４】
記憶部２１０は、制御部２０１において利用される各種プログラム等を記憶する。なお、図２では、ＢＭＬブラウザ部２０９を独立した構成として示しているが、デジタル放送制御部２０８内に含ませる構成としてもよい。
【００２５】
図３は、放送局サーバ３００の構成を示すブロック図である。当該放送局サーバ３００は、汎用のコンピュータシステムを用いて構成されている。
図３において、放送局サーバ３００は、制御部３０１と、ユーザ管理部３０２と、友達管理部３０３と、サービス管理部３０４と、Ｅメール部３０５と、通信部３０６と、ユーザＤＢ３０７と、記憶部３０８と、を備え、各部はバス３１０を介して接続されている。
【００２６】
制御部３０１は、放送局サーバ３００内部の各部を制御して、視聴登録処理、友達登録処理、通信処理、番組視聴サービス処理等を制御する。
【００２７】
ユーザ管理部３０２は、視聴登録処理に関わるユーザ情報等をユーザＤＢ３０７を利用して管理する。
【００２８】
友達管理部３０３は、友達登録処理に関わる友達情報等をユーザＤＢ３０７を利用して管理する。
【００２９】
サービス管理部３０４は、ユーザの友達招待に関わるポイントをユーザＤＢ３０７を利用して管理する。
【００３０】
Ｅメール部３０５は、視聴登録処理や友達登録処理に関わるメール送信処理等を通信部３０６を制御して実行する。
【００３１】
通信部３０６は、インターネットＮと接続し、Ｅメール部３０５の制御により、インターネットＮを介してデジタル放送受信端末２００及び他デジタル放送受信端末４００との間でＥメールの送受信処理、視聴登録処理に関わるメール送信処理等を実行する。また、通信部３０６は、デジタル放送受信端末２００及び他デジタル放送受信端末４００から視聴登録に関する情報や友達登録に関する各種情報等を受信すると、その受信情報を制御部３０１に出力する。
【００３２】
ユーザＤＢ３０７は、図４〜図８に示すように、ユーザデータベース（以下、ユーザＤＢという）４０１と、友達テーブル４０２と、ログイン中友達リストテーブル４０３と、サービス管理データベース（以下、サービス管理ＤＢという）４０４と、番組管理データベース（以下、番組管理ＤＢという）４０５と、を格納する。
【００３３】
図４に示すユーザＤＢ４０１は、ユーザを識別する「ＩＤ」と、放送局サーバ３００が提供するサービスに対するユーザ仮登録の有無を示す「仮登録フラグ」と、個人識別のためにデジタル放送受信端末２００のＮＶＲＡＭ２０８ｂへ記憶する暗号化されたＩＤを登録する「ＮＶＲＡＭ用ＩＤ」と、ユーザの「メールアドレス」と、ユーザ毎に設定する「暗証番号」及び「ニックネーム」と、放送局サーバ３００が提供するサービスに本登録したユーザの番組視聴及び友達紹介に伴って付与する「ポイント」と、ユーザ登録した日時を示す「登録日時」と、ユーザの居所を示す「居住地域」と、を対応付けて記憶する。
【００３４】
図５に示す友達テーブル４０２は、ユーザＤＢ４０１に登録されたユーザ本人を識別する「本人ＩＤ」と、本人に対する親の親を識別する「親の親のＩＤ」と、本人に対する親を識別する「親のＩＤ」と、本人に対する友達を識別する「友達０１ＩＤ，友達０２ＩＤ」と、を対応付けて記憶するとともに、友達０３がいれば、友達０３ＩＤを対応付けて記憶する。
【００３５】
図６に示すログイン中友達リストテーブル４０３は、ログイン中のユーザ本人を識別する「本人ＩＤ」と、ログイン中のユーザ本人に対するポイント付与の有無を示す「ポイント既付与フラグ」と、ログイン中の友達０１を識別する「友達０１ＩＤ」と、ユーザ本人と友達０１との関係を示す「友達０１関係」と、友達０１のログイン状態を示す「友達０１ステータス」と、友達０１に対するポイント付与の有無を示す「友達０１既付与フラグ」と、を対応付けて記憶するとともに、友達０２や友達０３がいれば、友達０２、０３に対する同様の項目を対応付けて記憶する。なお、ログイン中友達リストテーブル４０３は、番組の放送中に記憶する情報が有効となるテーブルであり、番組の放送終了後は無効となるテーブルである。
【００３６】
図７に示すサービス管理ＤＢ４０４は、招待者の友達登録数の上限を設定する「最大友達数」と、招待者（親）に入るポイント数を設定する「招待報酬ポイント（親）」と、招待者（親）の招待者（親の親）に入るポイント数を設定する「招待報酬ポイント（親の親）」と、を対応付けて記憶する。
【００３７】
図８に示す番組管理ＤＢ４０５は、サービスを提供する番組の開始時間を示す「サービス開始時間」と、その番組の終了時間を示す「サービス終了時間」と、当該番組にログインしたユーザ本人に付与するポイントを設定する「本人視聴ポイント」と、当該範組にログイン中の友達の数に応じて付与されるポイントを設定する「友達視聴ポイント」と、当該範組にログイン中の子の数に応じて付与されるポイントを設定する「子視聴ポイント」と、ポイントの付与方式を示す「ポイント付与方式」と、を対応付けて記憶する。なお、ポイント付与方式として示す「一回」は、番組放送中にログインしたユーザに対してポイントを付与する回数が一回であることを示している。また、「巡回」は、番組放送中に同一ユーザのログイン確認の度にポイントを付与することを示している。
【００３８】
次に、本実施の形態のデジタル放送システム１０における動作について説明する。
【００３９】
まず、デジタル放送受信端末２００と放送局サーバ３００との間で実行されるＮＶＲＡＭ登録処理の詳細な処理について、図９に示すフローチャートを参照して説明する。
【００４０】
デジタル放送受信端末２００のＢＭＬブラウザ部２０４は、サービスを提供する番組のデジタル放送をデジタル放送受信部２０７により受信を開始すると（ステップＳ１０１）、デジタル放送制御部２０８内のＮＶＲＡＭ２０８ｂに当該サービスに関する視聴ＩＤ（ＮＶＲＡＭ用ＩＤ）が記憶されているか否かを確認する（ステップＳ１０２）。
【００４１】
ＢＭＬブラウザ部２０４は、ＮＶＲＡＭ２０８ｂにサービスに関する視聴ＩＤ（ＮＶＲＡＭ用ＩＤ）が記憶されている場合は（ステップＳ１０２：ＹＥＳ）、後述するサービス処理（図１２参照）に移行する。また、ＮＶＲＡＭ２０８ｂにサービスに関する視聴ＩＤ（ＮＶＲＡＭ用ＩＤ）が記憶されていない場合は（ステップＳ１０２：ＮＯ）、サービス登録案内画面を表示部２０３に表示する（ステップＳ１０３）。
【００４２】
次いで、ＢＭＬブラウザ部２０４は、表示したサービス登録案内画面に表示された登録先リンクボタン（図示せず）が操作されたか否かを判別する（ステップＳ１０４）。登録先リンクボタンが操作されると（ステップＳ１０４：ＹＥＳ）、登録フォーム（Ａ）を表示部２０３に表示する（ステップＳ１０５）。この登録フォーム（Ａ）では、ユーザのメールアドレスと暗証番号の入力を促すものとする。また、登録先リンクボタンが操作されない場合は（ステップＳ１０４：ＮＯ）、ステップＳ１０３に戻る。ＢＭＬブラウザ部２０４は、登録フォーム（Ａ）への入力が完了すると（ステップＳ１０６：ＹＥＳ）、入力されたメールアドレスと暗証番号を含む登録フォーム（Ａ）情報を通信部２０６からインターネットＮ１を介して放送局サーバ３００に送信する。また、登録フォーム（Ａ）への入力が完了しない場合は（ステップＳ１０６：ＮＯ）、ステップＳ１０５に戻る。
【００４３】
次いで、放送局サーバ３００は、デジタル放送受信端末２００からの登録フォーム（Ａ）情報受信の有無を確認する（ステップＳ２０１）。登録フォーム（Ａ）情報を受信すると（ステップＳ２０１：ＹＥＳ）、ユーザ管理部３０２は、その登録フォーム（Ａ）情報に含まれたメールアドレスが、ユーザＤＢ４０１に存在するか否かを確認する（ステップＳ２０２）。メールアドレスがユーザＤＢ４０１に存在しない場合は（ステップＳ２０２：ＮＯ）、メールアドレス未登録通知を通信部３０６によりデジタル放送受信端末２００に対して送信する（ステップＳ２０３）。
【００４４】
また、ステップＳ２０１において、登録フォーム（Ａ）情報を受信しない場合は（ステップＳ２０１：ＮＯ）、本処理を繰り返し実行する。また、ステップＳ２０２において、メールアドレスがユーザＤＢ４０１に存在する場合は（ステップＳ２０２：ＹＥＳ）、ステップＳ２０８に移行する。
【００４５】
デジタル放送受信端末２００は、放送局サーバ３００からのメールアドレス未登録通知受信の有無を確認する（ステップＳ１０７）。メールアドレス未登録通知を受信すると（ステップＳ１０７：ＹＥＳ）、ＢＭＬブラウザ部２０４は、登録フォーム（Ｂ）を表示部２０３に表示する（ステップＳ１０８）。この登録フォーム（Ｂ）では、ユーザのニックネームやその他の情報の入力を促すものとする。また、メールアドレス未登録通知を受信しない場合は（ステップＳ１０７：ＮＯ）、本処理を繰り返し実行する。
【００４６】
登録フォーム（Ｂ）への入力が完了すると（ステップＳ１０９：ＹＥＳ）、入力されたニックネーム及び他の情報を含む登録フォーム（Ｂ）を通信部２０６からインターネットＮ１を介して放送局サーバ３００に送信する。また、登録フォーム（Ｂ）への入力が完了しない場合は（ステップＳ１０９：ＮＯ）、ステップＳ１０８に戻る。
【００４７】
次いで、放送局サーバ３００は、デジタル放送受信端末２００からの登録フォーム（Ｂ）情報受信の有無を確認する（ステップＳ２０４）。登録フォーム（Ｂ）情報を受信すると（ステップＳ２０４：ＹＥＳ）、ユーザ管理部３０２は、その登録フォーム（Ｂ）情報に含まれたニックネームやその他の情報をユーザＤＢ４０１に仮登録する（ステップＳ２０５）。
【００４８】
次いで、ユーザ管理部３０２は、本登録用メールを通信部３０６からデジタル放送受信端末２００に対して送信する（ステップＳ２０６）。なお、本登録用メールには、本登録用のＵＲＬが設定されている。次いで、ユーザ管理部３０２は、ＮＶＲＡＭ用ＩＤを発行し（ステップＳ２０７）、そのＮＶＲＡＭ用ＩＤを通信部３０６からデジタル放送受信端末２００に対して送信して、本処理を終了する。
【００４９】
次いで、デジタル放送受信端末２００は、放送局サーバ３００から送信されたＮＶＲＡＭ用ＩＤを通信部２０６により受信すると、そのＮＶＲＡＭ用ＩＤをデジタル放送制御部２０８内のＮＶＲＡＭ２０８ｂに登録する（ステップＳ１１０）。
【００５０】
また、放送局サーバ３００のユーザ管理部３０２は、ステップＳ２０２において、受信した登録フォーム（Ａ）情報に含まれたメールアドレスがユーザＤＢ４０１に存在する場合は（ステップＳ２０２：ＹＥＳ）、ステップＳ２０８に移行し、受信した登録フォーム（Ａ）情報に含まれた暗証番号がユーザＤＢ４０１に記憶された該当ユーザの暗証番号と一致するか否かを確認する。暗証番号が一致する場合は（ステップＳ２０８：ＹＥＳ）、すなわち、当該ユーザの後述する被招待ユーザのＷＥＢ登録が終了していることを確認した場合は、後述の友達検索・招待処理（ステップＳ７１４）により当該ユーザを招待した招待者に対して、図７のサービス管理ＤＢ４０４に設定された招待報酬ポイント（親）を参照してポイントを付与する（ステップＳ２０９）。
【００５１】
次いで、ユーザ管理部３０２は、ＮＶＲＡＭ用ＩＤを発行し（ステップＳ２１０）、そのＮＶＲＡＭ用ＩＤを通信部３０６からデジタル放送受信端末２００に対して送信して、本処理を終了する。また、ユーザ管理部３０２は、暗証番号が一致しない場合は（ステップＳ２０８：ＮＯ）、エラー通知を通信部３０６からデジタル放送受信端末２００に対して送信して、本処理を終了する。
【００５２】
次いで、デジタル放送受信端末２００のＷＥＢブラウザ部２０４は、放送局サーバ３００から送信されるエラー通知受信の有無を確認する（ステップＳ１１１）。エラー通知を受信した場合は（ステップＳ１１１：ＹＥＳ）、エラー画面を表示部２０３に表示して（ステップＳ１１３）、本処理を終了する。また、エラー通知を受信しない場合は（ステップＳ１１１：ＮＯ）、放送局サーバ３００から受信したＮＶＲＡＭ用ＩＤをデジタル放送制御部２０８内のＮＶＲＡＭ２０８ｂに登録して（ステップＳ１１２）、後述するサービス処理（図１２参照）に移行する。
【００５３】
以上のＮＶＲＡＭ登録処理により、初期登録ユーザに対しては、受信したメールからのＷＥＢ操作が必要な仮登録処理を行ってから、本登録処理に移行するようにしたことにより、放送局サーバ３００が初期登録ユーザから正確なメールアドレスを取得することを可能にしている。
【００５４】
次に、デジタル放送受信端末２００と放送局サーバ３００との間で実行される本登録処理の詳細な処理について、図１０に示すフローチャートを参照して説明する。
【００５５】
この本登録処理は、上記ＮＶＲＡＭ登録処理において、放送局サーバ３００がデジタル放送受信端末２００に対して本登録用メールを送信し（ステップＳ２０６）、その本登録用メールを受信したデジタル放送受信端末２００において実行される処理である。
【００５６】
デジタル放送受信端末２００のＥメール部２０５は、放送局サーバ３００から送信される本登録用メール受信の有無を確認する（ステップＳ３０１）。本登録用メールを受信すると（ステップＳ３０１：ＹＥＳ）、そのメールを表示部２０３に表示し（ステップＳ３０２）、メール内の本登録用のＵＲＬが操作されたか否かを確認する（ステップＳ３０３）。本登録用のＵＲＬが操作されなければ（ステップＳ３０３：ＮＯ）、ステップＳ３０２に戻る。また、Ｅメール部２０５は、本登録用のＵＲＬが操作された場合は（ステップＳ３０３：ＹＥＳ）、ＷＥＢブラウザ部２０４は、自端末の端末情報（例えば、端末ＩＤ）を取得してＵＲＬアクセス信号を通信部２０６から放送局サーバ３００に送信する（ステップＳ３０４）。
【００５７】
次いで、放送局サーバ３００のユーザ管理部３０２は、デジタル放送受信端末２００から端末情報を含むＵＲＬアセス信号を受信すると、その端末情報をユーザＤＢ４０１に登録する（ステップＳ４０１）。次いで、ユーザ管理部３０２は、ユーザＤＢ４０１内の該当ユーザの仮登録フラグを「０」に変更して（ステップＳ４０２）、本登録完了通知をデジタル放送受信端末２００に送信して、本処理を終了する。
【００５８】
次いで、デジタル放送受信端末２００のＷＥＢブラウザ部２０４は、放送局サーバ３００から本登録完了通知を受信すると、本登録完了画面を表示部２０３に表示して（ステップＳ３０５）、本処理を終了する。
【００５９】
以上の本登録処理により、仮登録されていたデジタル放送受信端末２００のユーザの放送局サーバ３００に対する本登録処理が終了し、放送局サーバ３００から提供される番組視聴サービスに参加することが可能になる。
【００６０】
次に、デジタル放送受信端末２００と放送局サーバ３００との間で実行される被招待ユーザＷＥＢ登録処理の詳細な処理について、図１１に示すフローチャートを参照して説明する。
【００６１】
この被招待ユーザＷＥＢ登録処理は、後述するステップＳ７１４で登録ユーザから送信される招待メールによって招待されたユーザが放送と連動するＢＭＬでの番組視聴以前にＷＥＢからニックネームなどのユーザ情報を仮に登録する処理である。
【００６２】
デジタル放送受信端末２００のＥメール部２０５は、放送局サーバ３００から送信される招待案内メール受信の有無を確認する（ステップＳ５０１）。招待案内メールを受信した場合は（ステップＳ５０１：ＹＥＳ）、そのメールを表示部２０３に表示する（ステップＳ５０２）。また、招待案内メールを受信しない場合は（ステップＳ５０１：ＮＯ）、本処理を繰り返し実行する。なお、招待案内メールには、登録用ユニークメールアドレスが設定されている。
【００６３】
次いで、Ｅメール部２０５は、招待案内メール内の登録用ユニークメールアドレスへの返信操作が行われたか否かを確認する（ステップＳ５０３）。返信操作が行われた場合は（ステップＳ５０３：ＹＥＳ）、返信メールを通信部２０６により放送局サーバ３００に送信する。また、返信操作が行われない場合は（ステップＳ５０３：ＮＯ）、ステップＳ５０２に戻る。
【００６４】
次いで、放送局サーバ３００の友達管理部３０３は、デジタル放送受信端末２００から送信される返信メール受信の有無を確認する（ステップＳ６０１）。返信メールを受信した場合は（ステップＳ６０１：ＹＥＳ）、その返信メールから送信元メールアドレスを取得する（ステップＳ６０２）。また、返信メールを受信しない場合は（ステップＳ６０１：ＮＯ）、本処理を繰り返し実行する。
【００６５】
次いで、友達管理部３０３は、取得した送信元メールアドレスが図４のユーザＤＢ４０１に記憶されているか否かを確認する（ステップＳ６０３）。送信元メールアドレスがユーザＤＢ４０１に記憶されている場合は（ステップＳ６０３：ＹＥＳ）、既会員案内メールを通信部３０６によりデジタル放送受信端末２００に送信する（ステップＳ６０４）。また、送信元メールアドレスがユーザＤＢ４０１に記憶されていない場合は（ステップＳ６０３：ＮＯ）、送信元メールアドレスに基づいたユニーク登録画面ＵＲＬを生成し、このユニーク登録画面ＵＲＬを含む登録案内メールを通信部３０６によりデジタル放送受信端末２００に送信する（ステップＳ６０５）。
【００６６】
次いで、デジタル放送受信端末２００のＥメール部２０５は、放送局サーバ３００から送信される既会員案内メール受信の有無を確認する（ステップＳ５０４）。既会員案内メールを受信した場合は（ステップＳ５０４：ＹＥＳ）、本処理を終了する。また、既会員案内メールを受信しない場合は（ステップＳ５０４：ＮＯ）、放送局サーバ３００から送信される登録案内メールを受信し（ステップＳ５０５）、その登録案内メールを表示部２０３に表示する（ステップＳ５０６）。
【００６７】
次いで、Ｅメール部２０５は、表示した登録案内メールに設定されたユニーク登録画面ＵＲＬが操作されたか否かを確認する（ステップＳ５０７）。ユニーク登録画面ＵＲＬが操作された場合は（ステップＳ５０７：ＹＥＳ）、ＷＥＢ登録フォームをＷＥＢブラウザ部２０４により表示部２０３に表示する（ステップＳ５０８）。
【００６８】
次いで、ＷＥＢブラウザ部２０４は、ＷＥＢ登録フォームにおけるニックネーム等のユーザＤＢ４０１に登録するためのユーザ情報の入力完了を確認する（ステップＳ５０９）。情報の入力が完了した場合は（ステップＳ５０９：ＹＥＳ）、端末情報を取得し（ステップＳ５１０）、その端末情報及びユーザ情報を通信部２０６により放送局サーバ３００に送信する。
【００６９】
次いで、放送局サーバ３００の友達管理部３０３は、デジタル放送受信端末２００から受信した端末情報及びユーザ情報をユーザＤＢ４０１に登録し（ステップＳ６０６）、登録完了通知を通信部３０６によりデジタル放送受信端末２００に送信して（ステップＳ６０７）、本処理を終了する。
【００７０】
次いで、デジタル放送受信端末２００のＷＥＢブラウザ部２０４は、放送局サーバ３００から送信される登録完了通知受信の有無を確認する（ステップＳ５１１）。登録完了通知を受信した場合は（ステップＳ５１１：ＹＥＳ）、ＷＥＢ登録完了と番組案内画面を表示部２０３に表示して（ステップＳ５１２）、本処理を終了する。なお、表示部２０３に表示する番組案内画面には、本登録の対象となる番組情報が含まれている。
【００７１】
以上の被招待ユーザＷＥＢ登録処理により、被招待ユーザ、すなわち、上記初期登録したユーザから招待された友達等は、招待案内メールにより被招待ユーザ独自の登録用メールアドレスへの返信操作から始まる一連の処理により、デジタル放送受信端末２００へのＮＶＲＡＭ用ＩＤ登録を伴わない、放送局サーバ３００への仮の登録を済ませることが可能になる。また、被招待ユーザは、本登録へ進む場合は、上記処理の最後に表示される番組案内画面に表示された番組情報を参照して、ＮＶＲＡＭ登録処理に移行することにより、本登録することが可能である。
【００７２】
なお、上記被招待ユーザＷＥＢ登録処理では、被招待ユーザ毎に登録用ユニークメールアドレスを設定するようにした。例えば、ＡユーザがＢユーザを招待しようとした場合、Ａユーザ登録用ユニークメールアドレスを設定し、招待メールを受信したＢユーザがユニークアドレスに返信することにより、放送局サーバ３００は、Ｂユーザのメールアドレスを取得し、ＢユーザがＡユーザに招待されたことを管理することを可能にしている。
【００７３】
次に、デジタル放送受信端末２００と放送局サーバ３００との間で実行されるサービス処理の詳細な処理について、図１２に示すフローチャートを参照して説明する。
【００７４】
この図１２のサービス処理は、上記番組視聴サービス全体の流れを示すフローチャートである。
【００７５】
デジタル放送受信端末２００では、ユーザ登録した番組を視聴中に、その番組画面のデータ放送表示枠内にログイン画面を表示する（ステップＳ７０１）。なお、ログイン画面には、ログインボタンが表示されているものとする。そして、ＢＭＬブラウザ部２０９は、ログイン画面においてログインボタンが操作されたか否かを確認する（ステップＳ７０２）。ログインボタンが操作された場合は（ステップＳ７０２：ＹＥＳ）、放送局サーバ３００の番組視聴サービスに対してログインアクセスする。また、ログインボタンが操作されない場合は（ステップＳ７０２：ＮＯ）、ステップＳ７０１に戻る。
【００７６】
次いで、放送局サーバ３００のサービス管理部３０４は、デジタル放送受信端末２００からのログインアクセスの有無を監視し（ステップＳ８０１）、ログインアクセスを検出した場合は（ステップＳ８０１：ＹＥＳ）、そのアクセスしたデジタル放送受信端末２００のＮＶＲＡＭ用ＩＤがユーザＤＢ４０１に存在するか否かを確認する（ステップＳ８０２）。ＮＶＲＡＭ用ＩＤがユーザＤＢ４０１に存在しない場合は（ステップＳ８０２：ＮＯ）、未登録通知を通信部３０６によりデジタル放送受信端末２００に送信して（ステップＳ８０３）、本処理を終了する。また、ＮＶＲＡＭ用ＩＤがユーザＤＢ４０１に存在する場合は（ステップＳ８０２：ＹＥＳ）、ステップＳ８０４に移行する。
【００７７】
次いで、デジタル放送受信端末２００のＢＭＬブラウザ部２０９は、放送局サーバ３００から送信される未登録通知受信の有無を確認する（ステップＳ７０３）。未登録通知を受信した場合は（ステップＳ７０３：ＹＥＳ）、ＮＶＲＡＭ２０８ｂ内のＩＤを消去する（ステップＳ７０４）。また、未登録通知を受信しない場合は（ステップＳ７０３：ＮＯ）、本処理を繰り返し実行する。
【００７８】
次いで、放送局サーバ３００のサービス管理部３０４は、ステップＳ８０４において、ユーザＤＢ４０１に存在するＮＶＲＡＭ用ＩＤが仮登録か否かを確認する。すなわち、ユーザＤＢ４０１に記憶されている仮登録フラグが立っている（「１」）か否かを確認する。仮登録である場合は（ステップＳ８０４：ＹＥＳ）、仮登録用ＩＤの使用期間を制限する許容期間内か否かを判別する（ステップＳ８０５）。すなわち、仮登録ＩＤは、許容期間を設定して使用期間を制限することにより、仮登録ユーザに対して本登録へ移行することを促すようにして、本サービスへの参加を促すようにしている。仮登録が許容期間内である場合は（ステップＳ８０５：ＹＥＳ）、ステップＳ８０７に移行する。また、仮登録が許容期間内でない場合は（ステップＳ８０５：ＮＯ）、本登録誘導指示を通信部３０６によりデジタル放送受信端末２００に送信して（ステップＳ８０６）、本処理を終了する。また、ステップＳ８０４において、ＮＶＲＡＭ用ＩＤが仮登録でない場合（ステップＳ８０４：ＮＯ）、すなわち、ユーザＤＢ４０１に記憶されている仮登録フラグが「０」の場合は、ステップＳ８０７に移行する。
【００７９】
次いで、デジタル放送受信端末２００のＢＭＬブラウザ部２０９は、放送局サーバ３００から送信される本登録誘導指示受信の有無を確認する（ステップＳ７０５）。本登録誘導指示を受信した場合は（ステップＳ７０５：ＹＥＳ）、本登録誘導案内を表示部２０３に表示して（ステップＳ７０６）、図１０の補登録処理に移行する。また、本登録誘導指示を受信しない場合は（ステップＳ７０５：ＮＯ）、ステップＳ７０７へ移行する。
【００８０】
次いで、放送局サーバ３００のサービス管理部３０４は、ステップＳ８０７おいて、図６に示すログイン中友達リストテーブル４０３を生成する。この場合、図５の友達テーブル４０２を参照して、ログインユーザの友達の中からログイン中の友達を確認して、ログイン中友達リストテーブル４０３を生成する。次いで、サービス管理部３０４は、当該ユーザがログイン中か否かを確認する（ステップＳ８０８）。ログイン中でない場合は（ステップＳ８０８：ＮＯ）、ログアウトを判定して（ステップＳ８０９）、本処理を終了する。
【００８１】
次いで、放送局サーバ３００のサービス管理部３０４は、ステップＳ８０８において、当該ユーザがログイン中であることを確認した場合は（ステップＳ８０８：ＹＥＳ）、図６のログイン中友達リストテーブル４０３内の当該ユーザのポイント既付与フラグを参照して、すなわち、ポイント既付与フラグが「１：付与済み」か「０：未付与」かを確認し、「０：未付与」の場合に、図８の番組管理ＤＢ４０５を参照して、視聴中の番組における本人視聴ポイントを該当ユーザに付与する等の、ポイント付与制御を実行する（ステップＳ８１０）。
【００８２】
次いで、サービス管理部３０４は、当該ユーザに対する友達申込の有無を確認する（ステップＳ８１１）。友達申込が有る場合は（ステップＳ８１１：ＹＥＳ）、友達申込有通知を通信部３０６によりデジタル放送受信端末２００に送信する（ステップＳ８１２）。
【００８３】
次いで、デジタル放送受信端末２００のＢＭＬブラウザ部２０９は、放送局サーバ３００から送信される友達申込通知受信の有無を確認する（ステップＳ７０８）。友達申込通知を受信しない場合は（ステップＳ７０７：ＮＯ）、ステップＳ７１０へ移行する。また、友達申込通知を受信した場合は（ステップＳ７０７：ＹＥＳ）、後述する図１２の被友達申込処理を実行し（ステップＳ７０８）、被友達申込処理終了通知を通信部２０６により放送局サーバ３００に送信する（ステップＳ７０９）。
【００８４】
次いで、放送局サーバ３００のサービス管理部３０４は、デジタル放送受信端末２００から送信される被友達申込処理終了通知を受信した場合（ステップＳ８１３）と、友達申込が無い場合は（ステップＳ８１１：ＮＯ）、ステップＳ８１４に移行して、図６のログイン中友達リストテーブル４０３を更新する。次いで、ログイン中友達数分のポイントを図８の番組管理ＤＢ４０５を参照して本人に付与する（ステップＳ８１５）。ここでは、例えば、番組管理ＤＢ４０５に設定された「ポイント付与方式」が「一回」か「巡回」かによって、付与されるポイントが異なる。「ポイント付与方式：一回」の場合は、友達が番組にログインした初回に限りポイントが付与される。「ポイント付与方式：巡回」の場合は、ログイン確認（ステップＳ８０８）の度、繰り返しポイントが付与される。ログインが初回かどうかの制御は、図６のログイン中友達リストテーブル４０３内の該当ユーザのポイント既付与フラグが「１：付与済み」か「０：未付与」かで行う。
【００８５】
次に、サービス管理部３０４は、友達からのメッセージ受信の有無を確認する（ステップＳ８１６）。メッセージを受信した場合は（ステップＳ８１６：ＹＥＳ）、メッセージ受信通知を通信部３０６によりデジタル放送受信端末２００に送信する（ステップＳ８１７）。また、メッセージを受信しない場合は（ステップＳ８１６：ＮＯ）、ログイン中友達一覧表示通知を通信部３０６によりデジタル放送受信端末２００に送信する（ステップＳ８１８）。
【００８６】
次いで、デジタル放送受信端末２００のＢＭＬブラウザ部２０９は、放送局サーバ３００から送信されるメッセージ受信通知受信の有無を確認する（ステップＳ７１０）。メッセージ受信通知を受信した場合は（ステップＳ７１０：ＹＥＳ）、後述する図１４のメッセージ受信処理に移行して（ステップＳ７１１）、ステップＳ７１２に移行する。また、メッセージ受信通知を受信しない場合は（ステップＳ７１１：ＮＯ）、放送局サーバ３００から送信されるログイン中友達一覧表示通知を受信して、ログイン中友達一覧画面を表示部２０３に表示する（ステップＳ７１２）。ログイン中友達一覧画面には、ログイン中友達毎に「メッセージ送信処理」と、「友達検索・招待処理」と、「友達登録解除処理」と、の３つの処理を選択可能である。
【００８７】
そして、ＷＥＢブラウザ部２０４は、ログイン中友達一覧画面において、友達と「メッセージ送信処理」が選択された場合は、後述する図１５のメッセージ送信処理に移行する（ステップＳ７１３）。また、友達と「友達検索・招待処理」が選択された場合は、後述する図１６の友達検索・招待処理に移行する（ステップＳ７１４）。また、友達と「友達登録解除処理」が選択された場合は、後述する図１７の友達登録解除処理に移行する（ステップＳ７１６）。
【００８８】
次いで、放送局サーバ３００のサービス管理部３０４は、上記ステップＳ８１７及びステップＳ８１８の後、ステップＳ８１９に移行して、一定時間の経過を確認する。一定時間が経過した場合は（ステップＳ８１９：ＹＥＳ）、一定時間経過通知を通信部３０６によりデジタル放送受信端末２００に送信し、番組（サービス期間）が終了したか否かを、図７の番組管理ＤＢ４０５内のサービス終了時間を参照して確認する（ステップＳ８２０）。番組（サービス期間）が終了した場合は（ステップＳ８２０：ＹＥＳ）、番組終了通知を通信部３０６によりデジタル放送受信端末２００に送信して（ステップＳ８２１）、本処理を終了する。また、番組（サービス期間）が終了していない場合は（ステップＳ８２０：ＮＯ）、番組継続通知を通信部３０６によりデジタル放送受信端末２００に送信して（ステップＳ８２２）、本処理を終了する。
【００８９】
次いで、デジタル放送受信端末２００のＢＭＬブラウザ部２０９は、放送局サーバ３００から送信される一定時間経過通知を受信すると（ステップＳ７１６）、続いて、放送局サーバ３００から送信される番組終了通知受信の有無を確認する（ステップＳ７１７）。番組終了通知を受信した場合は（ステップＳ７１７：ＹＥＳ）、番組（サービス期間）終了告知画面を表示部２０３に表示して（ステップＳ７１８）、本処理を終了する。また、番組終了通知を受信しない場合は（ステップＳ７１７：ＮＯ）、ステップＳ７１９に移行する。
【００９０】
次いで、デジタル放送受信端末２００のＢＭＬブラウザ部２０９は、当該ユーザの番組の視聴を確認し（ステップＳ７１９）、番組を視聴している場合（ログイン中）は（ステップＳ７１９：ＹＥＳ）、ステップＳ７０７に移行し、同時に放送局サーバ３００のサービス管理部へログイン確認情報が送られ、以降ステップ８０８以下の処理が繰り返される。番組を視聴していない場合（ログアウト中）は（ステップＳ７１９：ＮＯ）、本処理を終了し、放送局サーバ３００のサービス管理部へはログイン確認情報が送られない。
【００９１】
次に、上記ステップＳ７０９において実行される被友達申込処理の詳細について、図１３に示すフローチャートを参照して説明する。なお、この被友達申込処理において表示する友達申込者一覧画面に表示される友達の情報は、後述する図１６の友達検索・招待処理において招待される友達の情報である。
【００９２】
まず、デジタル放送受信端末２００のＢＭＬブラウザ部２０９は、友達申込者一覧画面を表示部２０３に表示する（ステップＳ９０１）。次いで、友達申込者一覧画面において、申込対象者の友達が個別に選択操作されたか否かを確認する（ステップＳ９０２）。個別に選択操作された場合は（ステップＳ９０２：ＹＥＳ）、その申込者情報と申込メッセージ画面を表示部２０３に表示する（ステップＳ９０３）。この申込メッセージ画面には、友達毎に友達登録の許可及び不許可を指示するボタンが設定されている。
【００９３】
そして、ＷＥＢブラウザ部２０４は、申込メッセージ画面において、選択された友達の友達登録許可ボタンが操作されたか否かを確認する（ステップＳ９０４）。友達登録許可ボタンが操作された場合は（ステップＳ９０４：ＹＥＳ）、選択された友達の許可操作通知を通信部２０６により放送局サーバ３００に送信して（ステップＳ９０５）、ステップＳ９０３に戻る。また、選択された友達の友達登録許可ボタンが操作されない場合は（ステップＳ９０４：ＮＯ）、友達登録不許可ボタンが操作されたか否かを確認する（ステップＳ９０６）。友達登録不許可ボタンが操作された場合は（ステップＳ９０６：ＹＥＳ）、選択された友達の不許可操作通知を通信部２０６により放送局サーバ３００に送信して（ステップＳ９０７）、ステップＳ９０３に戻る。また、友達登録不許可ボタンが操作されない場合は（ステップＳ９０６：ＮＯ）、ステップＳ９０３に戻る。
【００９４】
次いで、放送局サーバ３００の友達管理部３０３は、デジタル放送受信端末２００から送信される許可操作通知受信の有無を確認する（ステップＳ１００１）。許可操作通知を受信した場合は（ステップＳ１００１：ＹＥＳ）、その選択された友達を図５の友達テーブル４０２内の該当する本人の友達欄に登録する（ステップＳ１００２）。また、許可操作通知を受信しない場合は（ステップＳ１００１：ＮＯ）、デジタル放送受信端末２００から送信される不許可操作通知受信の有無を確認する（ステップＳ１００３）。不許可操作通知を受信した場合は（ステップＳ１００３：ＹＥＳ）、その選択された友達を図５の友達テーブル４０２内の該当する本人の友達欄から削除する（ステップＳ１００４）。また、不許可操作通知を受信しない場合は（ステップＳ１００３：ＮＯ）、ステップＳ１００１に戻る。
【００９５】
そして、上記ステップＳ１００２及びステップＳ１００４を処理した後は、ステップＳ１００５に移行して、図５の友達テーブル４０２内の該当する本人の友達欄に、残りの友達が存在するか否かを確認する。友達が存在する場合は（ステップＳ１００５：ＹＥＳ）、上記被友達申込処理を繰り返し実行し、友達が存在しない場合は（ステップＳ１００５：ＮＯ）、図１２のサービス処理に戻る。
【００９６】
次に、上記ステップＳ７１４において実行されるメッセージ受信処理の詳細について、図１４に示すフローチャートを参照して説明する。
【００９７】
まず、デジタル放送受信端末２００のＢＭＬブラウザ部２０９は、受信メッセージ一覧画面を表示部２０３に表示し（ステップＳ１１０１）、メッセージの選択操作を確認する（ステップＳ１１０２）。メッセージが選択されると（ステップＳ１１０２：ＹＥＳ）、その選択されたメッセージ画面を表示部２０３に表示する（ステップＳ１１０３）。このメッセージ画面には、返信ボタンが表示されている。
【００９８】
そして、ＢＭＬブラウザ部２０９は、返信操作の有無を確認する（ステップＳ１１０４）。返信ボタンが操作された場合は（ステップＳ１１０４：ＹＥＳ）、メッセージ返信フォームを表示部２０３に表示する（ステップＳ１１０５）。次いで、メッセージ返信フォームにおいて返信メッセージの入力が完了したか否かを確認する（ステップＳ１１０６）。返信メッセージの入力が完了した場合は（ステップＳ１１０６：ＹＥＳ）、返信メッセージを通信部２０６により放送局サーバ３００に送信する（ステップＳ１１０７）。また、返信メッセージの入力が完了しない場合は（ステップＳ１１０６：ＮＯ）、ステップＳ１１０５に戻る。
【００９９】
また、ＢＭＬブラウザ部２０９は、メッセージが選択されない場合（ステップＳ１１０２：ＮＯ）、または、返信操作が行われない場合は（ステップＳ１１０４：ＮＯ）、ステップＳ１１１０に移行して、終了操作が行われたか否かを確認する。終了操作が行われた場合は（ステップＳ１１１０：ＹＥＳ）、図１２のサービス処理に戻り、終了操作が行われない場合は（ステップＳ１１１０：ＮＯ）、ステップＳ１１０１に戻る。
【０１００】
したがって、デジタル放送受信端末２００では、上記ステップＳ１１０１〜ステップＳ１１０４を繰り返し実行することにより、複数の受信メッセージを返信対象として選択することが可能である。そして、選択した複数の受信メッセージに対して返信メッセージを入力し、放送局サーバ３００に送信することが可能である。
【０１０１】
次いで、放送局サーバ３００のサービス管理部３０４デジタル放送受信端末２００から送信される返信メッセージ受信の有無を確認する（ステップＳ１２０１）。返信メッセージを受信した場合は（ステップＳ１２０１：ＹＥＳ）、その返信メッセージを該当ユーザへ送信する送信処理を通信部３０６により実行する（ステップＳ１２０２）。
【０１０２】
次いで、サービス管理部３０４は、残りの返信メッセージの有無を確認する（ステップＳ１２０３）。残りの返信メッセージが有る場合は（ステップＳ１２０３：ＹＥＳ）、ステップＳ１２０１に戻る。また、残りの返信メッセージが無い場合は（ステップＳ１２０３：ＮＯ）、返信完了通知を通信部３０６によりデジタル放送受信端末２００に送信して（ステップＳ１２０４）、図１２のサービス処理に戻る。
【０１０３】
次いで、デジタル放送受信端末２００のＢＭＬブラウザ部２０９は、放送局サーバ３００から送信される返信完了通知受信の有無を確認する（ステップＳ１１０８）。返信完了通知を受信した場合は（ステップＳ１１０８：ＹＥＳ）、返信完了画面を表示部２０３に表示して（ステップＳ１１０９）、図１２のサービス処理に戻る。また、返信完了通知を受信しない場合は（ステップＳ１１０８：ＮＯ）、本処理を繰り返し実行する。
【０１０４】
なお、上記メッセージ受信処理では、メッセージ送受信の履歴を放送局サーバ３００において記憶するようにしてもよい。
【０１０５】
次に、上記ステップＳ７１５において実行されるメッセージ送信処理の詳細について、図１５に示すフローチャートを参照して説明する。
【０１０６】
まず、デジタル放送受信端末２００のＢＭＬブラウザ部２０９は、上記ステップＳ７１３のログイン中友達一覧画面において、ログイン中の友達の選択操作の有無を確認する（ステップＳ１３０１）。ログイン中の友達の選択操作が行われると（ステップＳ１３０１：ＹＥＳ）、メッセージ送信フォームを表示部２０３に表示する（ステップＳ１３０２）。また、ログイン中の友達の選択操作が行われない場合は（ステップＳ１３０１：ＮＯ）、本処理を繰り返し実行する。
【０１０７】
次いで、ＢＭＬブラウザ部２０９は、メッセージ送信フォームにおいて送信メッセージの入力が完了したか否かを確認する（ステップＳ１３０３）。送信メッセージの入力が完了した場合は（ステップＳ１３０３：ＹＥＳ）、送信メッセージを通信部２０６により放送局サーバ３００に送信する（ステップＳ１３０４）。また、送信メッセージの入力が完了しない場合は（ステップＳ１３０３：ＮＯ）、ステップＳ１３０２に戻る。
【０１０８】
次いで、放送局サーバ３００のサービス管理部３０４は、デジタル放送受信端末２００から送信される送信メッセージ受信の有無を確認する（ステップＳ１４０１）。送信メッセージを受信した場合は（ステップＳ１４０１：ＹＥＳ）、その送信メッセージを該当ユーザへ送信する送信処理を通信部３０６により実行する（ステップＳ１４０２）。次いで、サービス管理部３０４は、送信完了通知を通信部３０６によりデジタル放送受信端末２００に送信して（ステップＳ１４０３）、図１２のサービス処理に戻る。
【０１０９】
次いで、デジタル放送受信端末２００のＷＥＢブラウザ部２０４は、放送局サーバ３００から送信される送信完了通知受信の有無を確認する（ステップＳ１３０５）。送信完了通知を受信した場合は（ステップＳ１３０５：ＹＥＳ）、送信完了画面を表示部２０３に表示して（ステップＳ１３０６）、図１２のサービス処理に戻る。また、送信完了通知を受信しない場合は（ステップＳ１３０５：ＮＯ）、本処理を繰り返し実行する。
【０１１０】
なお、上記メッセージ送信処理では、ログイン中の友達にＢＭＬ画面内に表示するメッセージを送信する場合を示したが、ログアウト中の友達にＥメールを用いたメッセージを送信するようにしてもよい。
【０１１１】
次に、上記ステップＳ７１５において実行される友達検索・招待処理の詳細について、図１６に示すフローチャートを参照して説明する。
【０１１２】
まず、デジタル放送受信端末２００のＢＭＬブラウザ部２０９は、上記ステップＳ７１３のログイン中友達一覧画面において、友達検索・招待リンク操作の有無を確認する（ステップＳ１５０１）。友達検索・招待リンク操作が行われた場合は（ステップＳ１５０１：ＹＥＳ）、友達検索・招待画面を表示部２０３に表示する（ステップＳ１５０２）。また、友達検索・招待リンク操作が行われない場合は（ステップＳ１５０１：ＮＯ）、本処理を繰り返し実行する。
【０１１３】
次いで、ＢＭＬブラウザ部２０９は、友達検索・招待画面において、友達検索リンク操作の有無を確認する（ステップＳ１５０３）。友達検索リンク操作が行われない場合は（ステップＳ１５０３：ＮＯ）、招待メール送信操作の有無を確認する（ステップＳ１５０４）。招待メール送信操作が行われない場合は（ステップＳ１５０４：ＮＯ）、ステップＳ１５０３に戻る。また、招待メール送信操作が行われた場合は（ステップＳ１５０４：ＹＥＳ）、Ｅメール部２０５のメーラーを起動する（ステップＳ１５０５）。
【０１１４】
次いで、Ｅメール部２０５は、メーラーが起動されると、招待者専用のメールアドレスを本文中に表示した招待メール画面を表示し（ステップＳ１５０６）、招待メールの送信操作の有無を確認する（ステップＳ１５０７）。招待メールの送信操作が行われない場合は（ステップＳ１５０７：ＮＯ）、ステップＳ１５０６に戻る。また、招待メールの送信操作が行われた場合は（ステップＳ１５０７：ＹＥＳ）、招待メールを送信して（ステップＳ１５０８）、図１１の被招待ユーザＷＥＢ登録処理に移行する。ここでは、招待者専用のメールアドレスに被招待者が返信を行う方式を用いることにより、招待者と被招待者をひも付けて管理すること、被招待者の正確なメールアドレスの取得（図１１の被招待ユーザＷＥＢ登録処理にて）、デジタル放送受信端末のメーラーで招待者が保持するアドレス帳を利用した招待メールの送信、とを可能にしている。
【０１１５】
次いで、デジタル放送受信端末２００のＢＭＬブラウザ部２０９は、上記ステップＳ１５０３において、友達検索リンク操作が行われた場合は（ステップＳ１５０３：ＹＥＳ）、友達検索フォームを表示部２０３に表示する（ステップＳ１５０９）。友達検索フォームには、友達のメールアドレス、ニックネーム、居住地域等を検索キーワードとして入力するものとする。次いで、ＢＭＬブラウザ部２０９は、友達検索フォームにおいて、検索条件の入力が完了したか否かを確認する（ステップＳ１５１０）。検索条件の入力が完了しない場合は（ステップＳ１５１０：ＮＯ）、ステップＳ１５０９に戻る。また、検索条件の入力が完了した場合は（ステップＳ１５１０：ＹＥＳ）、メールアドレス等を含む検索条件を決定し、（ステップＳ１５１１）、その検索条件を通信部２０６により放送局サーバ３００に送信する。
【０１１６】
次いで、放送局サーバ３００の友達管理部３０３は、デジタル放送受信端末２００から送信される検索条件を受信すると、その検索条件にメールアドレスが設定されているか否かを検索する（ステップＳ１６０１）。メールアドレスが設定されていない場合は（ステップＳ１６０１：ＮＯ）、他の検索条件（ニックネーム、居住地域等）により図４のユーザＤＢ４０１を照会して該当する友達を検索し（ステップＳ１６０２）、その検索結果を通信部３０６によりデジタル放送受信端末２００に送信する。
【０１１７】
また、友達管理部３０３は、検索条件にメールアドレスが設定されている場合は（ステップＳ１６０１：ＹＥＳ）、そのメールアドレスにより図４のユーザＤＢ４０１を照会して（ステップＳ１６０３）、該当アドレスの有無を確認する（ステップＳ１６０４）。該当アドレスが無い場合は（ステップＳ１６０４：ＮＯ）、招待案内画面表示指示を通信部３０６によりデジタル放送受信端末２００に送信して（ステップＳ１６０５）、図１２のサービス処理に戻る。また、該当アドレスが有る場合は（ステップＳ１６０４：ＹＥＳ）、その検索結果を通信部３０６によりデジタル放送受信端末２００に送信する。
【０１１８】
次いで、デジタル放送受信端末２００のＢＭＬブラウザ部２０９は、上記ステップＳ１５１１において決定した検索条件に対して、放送局サーバ３００から送信される検索結果を受信し、その検索結果により該当アドレスの有無を確認する（ステップＳ１５１２）。該当アドレスが無い場合は（ステップＳ１５１２：ＮＯ）、放送局サーバ３００から送信される招待案内画面表示指示に応じて、招待案内画面を表示部２０３に表示する（ステップＳ１５１３）。この招待案内画面には、招待ボタンが設定されている。
【０１１９】
そして、ＢＭＬブラウザ部２０９は、招待ボタン操作の有無を確認する（ステップＳ１５１４）。招待ボタンが操作された場合は（ステップＳ１５１４：ＹＥＳ）、招待メール送信指示を通信部２０６により放送局サーバ３００に送信して（ステップＳ１５１５）、図１２のサービス処理に戻る。また、招待ボタンが操作されない場合は（ステップＳ１５１４：ＮＯ）、図１２のサービス処理に戻る。また、ＢＭＬブラウザ部２０９は、検索結果により該当アドレスが有る場合は（ステップＳ１５１２：ＹＥＳ）、その検索結果を表示部２０３に表示する（ステップＳ１５１６）。次いで、ＢＭＬブラウザ部２０９は、検索結果画面において、友達申込相手の選択操作の有無を確認する（ステップＳ１５１７）。友達申込相手の選択操作が行われると（ステップＳ１５１７：ＹＥＳ）、その選択された友達申込相手の情報を通信部２０６により放送局サーバ３００に送信する。また、友達申込相手の選択操作が行われないと（ステップＳ１５１７：ＮＯ）、ステップＳ１５１６に戻る。
【０１２０】
次いで、放送局サーバ３００の友達管理部３０３は、デジタル放送受信端末２００において選択された友達申込相手の現在の友達数が、図７のサービス管理ＤＢ４０４内の「最大友達数」に設定された人数を超えたか否かを確認する（ステップＳ１６０６）。友達申込数が最大友達数を超えた場合は（ステップＳ１６０６：ＹＥＳ）、友達申込不可能案内画面表示指示を通信部３０６によりデジタル放送受信端末２００に送信する（ステップＳ１６０７）。また、友達申込数が最大友達数を超えない場合は（ステップＳ１６０６：ＮＯ）、友達登録申込メッセージフォーム表示指示を通信部３０６によりデジタル放送受信端末２００に送信する（ステップＳ１６０８）。
【０１２１】
次いで、デジタル放送受信端末２００のＢＭＬブラウザ部２０９は、放送局サーバ３００から送信される上記指示を受信し、その指示が友達の申込可か申込不可かを確認する（ステップＳ１５１８）。友達申込可の場合は（ステップＳ１５１８：ＹＥＳ）、友達登録申込メッセージフォームを表示部２０３に表示する（ステップＳ１５１９）。また、友達申込不可の場合は（ステップＳ１５１８：ＮＯ）、友達申込不可能案内画面を表示部２０３に表示して（ステップＳ１５２０）、図１２のサービス処理に戻る。
【０１２２】
次いで、ＢＭＬブラウザ部２０９は、友達登録申込メッセージフォームにおける友達申込メッセージの入力完了を確認する（ステップＳ１５２１）。友達申込メッセージの入力が完了した場合は（ステップＳ１５２１：ＹＥＳ）、その友達申込メッセージを通信部２０６により放送局サーバ３００に送信する。友達申込メッセージの入力が完了しない場合は（ステップＳ１５２１：ＮＯ）、ステップＳ１５１９に戻る。
【０１２３】
次いで、放送局サーバ３００の友達管理部３０３は、デジタル放送受信端末２００から受信した友達申込メッセージを友達申込相手に送信し（ステップＳ１６０９）、送信完了通知を通信部３０６によりデジタル放送受信端末２００に送信して、図１２のサービス処理に戻る。
【０１２４】
次いで、デジタル放送受信端末２００のＢＭＬブラウザ部２０９は、放送局サーバ３００から送信される送信完了通知を受信すると、送信完了画面を表示部２０３に表示して（ステップＳ１５２２）、図１２のサービス処理に戻る。
【０１２５】
なお、上記友達検索・招待処理では、友達申込相手に対してＢＭＬ画面内に表示する友達申込メッセージを送信する場合を示したが、友達申込をＥメールで送信するようにしてもよい。
【０１２６】
次に、上記ステップＳ７１６において実行される友達登録解除処理の詳細について、図１７に示すフローチャートを参照して説明する。
【０１２７】
まず、デジタル放送受信端末２００のＢＭＬブラウザ部２０９は、上記ステップＳ７１３のログイン中友達一覧画面において、友達登録解除リンク操作の有無を確認する（ステップＳ１７０１）。友達登録解除リンクが操作された場合は（ステップＳ１７０１：ＹＥＳ）、全友達一覧画面を表示部２０３に表示する（ステップＳ１７０２）。また、友達登録解除リンクが操作されない場合は（ステップＳ１７０１：ＮＯ）、本処理を繰り返し実行する。なお、全友達一覧画面では、登録解除する友達の選択操作が可能である。
【０１２８】
次いで、ＢＭＬブラウザ部２０９は、全友達一覧画面において登録解除の友達選択操作の有無を確認する（ステップＳ１７０３）。登録解除の友達選択操作が行われた場合は（ステップＳ１７０３：ＹＥＳ）、登録解除確認画面を表示部２０３に表示する（ステップＳ１７０４）。また、登録解除の友達選択操作が行われない場合は（ステップＳ１７０３：ＮＯ）、ステップＳ１７０２に戻る。
【０１２９】
次いで、ＢＭＬブラウザ部２０９は、登録解除確認画面における確認ＯＫ操作の有無を確認する（ステップＳ１７０５）。確認ＯＫ操作が行われた場合は（ステップＳ１７０５：ＹＥＳ）、登録解除友達確認ＯＫ指示を通信部２０６により放送局サーバ３００に送信する。
【０１３０】
次いで、放送局サーバ３００の友達管理部３０３は、デジタル放送受信端末２００から送信される登録解除友達確認ＯＫ指示受信の有無を確認する（ステップＳ１８０１）。登録解除友達確認ＯＫ指示を受信した場合は（ステップＳ１８０１：ＹＥＳ）、図５の友達テーブル４０２の当該ユーザ及び友達登録解除相手のユーザのレコードからそれぞれ該当する友達を削除する（ステップＳ１８０２）。また、登録解除友達確認ＯＫ指示を受信しない場合は（ステップＳ１８０１：ＮＯ）、本処理を繰り返し実行する。次いで、友達管理部３０３は、削除完了通知を通信部３０６によりデジタル放送受信端末２００に送信して（ステップＳ１８０３）、図１２のサービス処理に戻る。
【０１３１】
次いで、デジタル放送受信端末２００のＢＭＬブラウザ部２０９は、放送局サーバ３００から送信される削除完了通知を受信すると（ステップＳ１７０６）、友達登録解除完了画面を表示部２０３に表示して（ステップＳ１７０７）、図１２のサービス処理に戻る。
【０１３２】
以上のように、本実施の形態のデジタル放送システムによれば、番組コンテンツを視聴登録する手段として、例えば、番組ＩＤ毎にユーザＤＢ(視聴テーブル)を設け、視聴登録をした初期ユーザ(第１のユーザ)が友達等(第２のユーザ)を招待し、この友達がユーザＤＢに視聴登録しておくことにより、番組コンテンツ配信時(放送時)に、ユーザＤＢを参照して初期ユーザが招待した友達が番組コンテンツを視聴しているか否かを判定し、友達が視聴している場合は、初期ユーザに対してポイントを付与する。同様に初期ユーザが視聴していることに対して、友達にポイントを付与する。またそれぞれのユーザがステップＳ７１５などで追加した友達の視聴に対しても、ユーザへポイントが付与される。これにより、友人や家族の番組視聴を誘導することができ、番組の視聴率を高めることができる。
【０１３３】
なお、本発明のデジタル放送システムは、上記した実施の形態に限定されるものではなく、本発明の要旨を逸脱しない範囲内において種々変更を加え得ることは勿論である。
【産業上の利用可能性】
【０１３４】
本発明は、特定の番組ＩＤが付与された番組コンテンツに対して、他のユーザの視聴を誘導して、番組の視聴率を高めることを可能にし、ワンセグ放送をはじめＢＭＬ規格に基づくデジタルデータ放送に利用できる。
【図面の簡単な説明】
【０１３５】
【図１】本発明の一実施の形態に係るデジタル放送システムの全体構成を示すブロック図である。
【図２】本実施の形態に係るデジタル放送受信端末の構成を示すブロック図である。
【図３】本実施の形態に係る放送局サーバの構成を示すブロック図である。
【図４】本実施の形態に係るユーザデータベースの一例を示す図である。
【図５】本実施の形態に係る友達テーブルの一例を示す図である。
【図６】本実施の形態に係るログイン中友達リストテーブルの一例を示す図である。
【図７】本実施の形態に係るサービス管理データベースの一例を示す図である。
【図８】本実施の形態に係る番組管理データベースの一例を示す図である。
【図９】本実施の形態に係るデジタル放送受信端末と放送局サーバとの間で実行されるＮＶＲＡＭ登録処理を示すフローチャートである。
【図１０】本実施の形態に係るデジタル放送受信端末と放送局サーバとの間で実行される本登録処理を示すフローチャートである。
【図１１】本実施の形態に係るデジタル放送受信端末と放送局サーバとの間で実行される被招待ユーザＷＥＢ登録処理を示すフローチャートである。
【図１２】本実施の形態に係るデジタル放送受信端末と放送局サーバとの間で実行されるサービス処理を示すフローチャートである。
【図１３】本実施の形態に係るデジタル放送受信端末と放送局サーバとの間で実行される被友達申込処理を示すフローチャートである。
【図１４】本実施の形態に係るデジタル放送受信端末と放送局サーバとの間で実行されるメッセージ受信処理を示すフローチャートである。
【図１５】本実施の形態に係るデジタル放送受信端末と放送局サーバとの間で実行されるメッセージ送信処理を示すフローチャートである。
【図１６】本実施の形態に係るデジタル放送受信端末と放送局サーバとの間で実行される友達検索・招待処理を示すフローチャートである。
【図１７】本実施の形態に係るデジタル放送受信端末と放送局サーバとの間で実行される友達登録解除処理を示すフローチャートである。
【符号の説明】
【０１３６】
１０  デジタル放送システム
１００  テレビ局
２００  デジタル放送受信端末
２０１、３０１  制御部
２０２  入力部
２０３  表示部
２０４  ＷＥＢブラウザ部
２０５、３０５  Ｅメール部
２０６、３０６  通信部
２０７  デジタル放送受信部
２０８  デジタル放送制御部
２０８ａ  映像・音声再生部
２０８ｂ  ＮＶＲＡＭ
２０９  ＢＭＬブラウザ部
２１０、３０８  記憶部
３００  放送局サーバ
３０２  ユーザ管理部
３０３  友達管理部
３０４  サービス管理部
３０７  ユーザＤＢ
Ｎ１、Ｎ２  インターネット
【図１】
2008054087.tif 000003
【図２】
2008054087.tif 000004
【図３】
2008054087.tif 000005
【図４】
2008054087.tif 000006
【図５】
2008054087.tif 000007
【図６】
2008054087.tif 000008
【図７】
2008054087.tif 000009
【図８】
2008054087.tif 000010
【図９】
2008054087.tif 000011
【図１０】
2008054087.tif 000012
【図１１】
2008054087.tif 000013
【図１２】
2008054087.tif 000014
【図１３】
2008054087.tif 000015
【図１４】
2008054087.tif 000016
【図１５】
2008054087.tif 000017
【図１６】
2008054087.tif 000018
【図１７】
2008054087.tif 000019